(57)【要約】【課題】画像表示プロジェクタにおいて、画像の投影時に、撮影画像と同じ画像を簡単に印刷することができ、しかも、画質の良い印刷画像を得ることができるようにする。【解決手段】ＵＳＢ端子４８にプリンタが接続された後に、ユーザがリモコンを用いて画像を印刷するように指示すると、ＤＲＡＭ３５に記憶された画像データの中から、ユーザにより印刷するように指示された画像に対応する画像データが読み込まれて、画像処理ＩＣ４７に送出される。画像処理ＩＣ４７は、この画像データをＵＳＢ端子４８から出力可能な形式に変換した後に、ＵＳＢ端子４８を介してプリンタに出力する。これにより、画像の投影時に、ユーザがリモコンを用いて画像を印刷するように指示するだけで、撮影画像と同じ画像を簡単に印刷することができる。【選択図】図２
2006243672.tif 000002
【特許請求の範囲】
【請求項１】
光源と、
パソコンやビデオカメラ等の映像信号出力機器から出力された映像信号を組み立てて得られた画像データを一時的に記憶する画像データ記憶手段と、
前記光源から入射される光と前記画像データ記憶手段に記憶されている画像データとに基いて、画像を生成するＤＭＤ（デジタル・マイクロミラー・デバイス）と、
前記ＤＭＤにより生成された画像を投影する投影レンズとを備えた画像表示プロジェクタにおいて、
外部機器との接続用のＵＳＢ（Universal Serial Bus）端子と、
前記ＵＳＢ端子から入力される信号に基づいて、前記ＵＳＢ端子にプリンタが接続されたか否かを検出するプリンタ検出手段と、
前記投影レンズにより投影された画像と同じ画像を前記プリンタにより印刷するように指示するための印刷指示手段と、
前記プリンタ検出手段により前記ＵＳＢ端子にプリンタが接続されたことを検出した後に、前記印刷指示手段を用いてユーザにより画像を印刷するように指示されたときに、前記画像データ記憶手段に記憶された画像データの中から、ユーザにより印刷するように指示された画像に対応する画像データを読み込んで送出する画像データ送出手段と、
前記画像データ送出手段により送出された画像データを、前記ＵＳＢ端子から出力可能な形式に変換して前記プリンタに出力する画像処理ＩＣとを備え、
前記画像データ送出手段は、前記投影レンズにより投影される画像が動画像であるときに、前記印刷指示手段を用いてユーザにより画像を印刷するように指示されると、前記画像データ記憶手段に記憶された画像データの中から、前記印刷指示手段を用いた指示を受け付ける所定時間前に画像データ記憶手段に記憶された画像データ、又は前記印刷指示手段を用いた指示を受け付けた瞬間に画像データ記憶手段に記憶されている画像データよりも所定コマ数分だけ前の画像データを、読み込んで送出するようにしたことを特徴とする画像表示プロジェクタ。
【請求項２】
光源と、
パソコンやビデオカメラ等の映像信号出力機器から出力された映像信号を組み立てて得られた画像データを一時的に記憶する画像データ記憶手段と、
前記光源から入射される光と前記画像データ記憶手段に記憶されている画像データとに基いて、画像を生成するＤＭＤ（デジタル・マイクロミラー・デバイス）と、
前記ＤＭＤにより生成された画像を投影する投影レンズとを備えた画像表示プロジェクタにおいて、
前記投影レンズにより投影された画像と同じ画像をプリンタにより印刷するように指示するための印刷指示手段と、
前記印刷指示手段を用いてユーザにより画像を印刷するように指示されたときに、前記画像データ記憶手段に記憶された画像データの中から、ユーザにより印刷するように指示された画像に対応する画像データを読み込んで送出する画像データ送出手段と、
前記画像データ送出手段により送出された画像データを、前記プリンタに出力可能な形式に変換して、該プリンタに出力する画像変換出力手段とを備えたことを特徴とする画像表示プロジェクタ。
【請求項３】
前記画像データ送出手段は、前記投影レンズにより投影される画像が動画像であるときに、前記印刷指示手段を用いてユーザにより画像を印刷するように指示されると、前記画像データ記憶手段に記憶された画像データの中から、前記印刷指示手段を用いた指示を受け付ける所定時間前に画像データ記憶手段に記憶された画像データ、又は前記印刷指示手段を用いた指示を受け付けた瞬間に画像データ記憶手段に記憶されている画像データよりも所定コマ数分だけ前の画像データを、読み込んで送出するようにしたことを特徴とする請求項２に記載の画像表示プロジェクタ。
【発明の詳細な説明】
【技術分野】
【０００１】
本発明は、画像をスクリーン等に投影する画像表示プロジェクタに関する。
【背景技術】
【０００２】
従来は、ユーザが、画像表示プロジェクタ（以下、プロジェクタと略す）により投影されている画像と同じ画像を印刷したい場合には、投影されている画像を一旦ディジタルカメラ等のカメラで撮影して、撮影した画像を印刷する方法を採ることが多かった。例えば、特許文献１は、外部カメラとプリンタとをプロジェクタに接続して、外部カメラで撮影した投影画像をプロジェクタ内の画像メモリに記憶した上で、プリンタに出力するようにしたシステムを開示している。ところが、上記のようなカメラで撮影した画像を印刷する方法では、カメラ撮影に要する手間が大きく、しかも、印刷の元になる画像（カメラで撮影した画像）の画質が、プロジェクタによる撮影画像に比べて劣るという問題があった。
【０００３】
また、プロジェクタにより投影されている動画像を構成する各フレーム画像を印刷したい場合には、ユーザ所望のフレーム画像の画像データをパソコンにより静止画像の画像データとして取り込んだ上で、この画像データをプリンタに出力する場合が多い。ところが、この方法では、ユーザ所望のフレーム画像の画像データをパソコンにより静止画像の画像データとして取り込むのに手間がかかるという問題があった。
【０００４】
また、携帯電話の分野において、プロジェクタ機能を有するものが知られており、この携帯電話内のデータは、プリンタで出力することが可能である（特許文献２参照）。しかしながら、この携帯電話では、画像の投影時に、投影されている画像を指定して印刷することはできない。
【特許文献１】特開２００１−３１２００１号公報
【特許文献２】特開２００４−２９７６７９号公報
【発明の開示】
【発明が解決しようとする課題】
【０００５】
本発明は、上記の問題を解決するためになされたものであり、画像の投影時に、撮影画像と同じ画像を簡単に印刷することができ、しかも、画質の良い印刷画像を得ることが可能な画像表示プロジェクタを提供することを目的とする。
【課題を解決するための手段】
【０００６】
上記目的を達成するために請求項１の発明は、光源と、パソコンやビデオカメラ等の映像信号出力機器から出力された映像信号を組み立てて得られた画像データを一時的に記憶する画像データ記憶手段と、前記光源から入射される光と前記画像データ記憶手段に記憶されている画像データとに基いて、画像を生成するＤＭＤ（デジタル・マイクロミラー・デバイス）と、前記ＤＭＤにより生成された画像を投影する投影レンズとを備えた画像表示プロジェクタにおいて、外部機器との接続用のＵＳＢ（Universal Serial Bus）端子と、前記ＵＳＢ端子から入力される信号に基づいて、前記ＵＳＢ端子にプリンタが接続されたか否かを検出するプリンタ検出手段と、前記投影レンズにより投影された画像と同じ画像を前記プリンタにより印刷するように指示するための印刷指示手段と、前記プリンタ検出手段により前記ＵＳＢ端子にプリンタが接続されたことを検出した後に、前記印刷指示手段を用いてユーザにより画像を印刷するように指示されたときに、前記画像データ記憶手段に記憶された画像データの中から、ユーザにより印刷するように指示された画像に対応する画像データを読み込んで送出する画像データ送出手段と、前記画像データ送出手段により送出された画像データを、前記ＵＳＢ端子から出力可能な形式に変換して前記プリンタに出力する画像処理ＩＣとを備え、前記画像データ送出手段は、前記投影レンズにより投影される画像が動画像であるときに、前記印刷指示手段を用いてユーザにより画像を印刷するように指示されると、前記画像データ記憶手段に記憶された画像データの中から、前記印刷指示手段を用いた指示を受け付ける所定時間前に画像データ記憶手段に記憶された画像データ、又は前記印刷指示手段を用いた指示を受け付けた瞬間に画像データ記憶手段に記憶されている画像データよりも所定コマ数分だけ前の画像データを、読み込んで送出するようにしたものである。
【０００７】
請求項２の発明は、光源と、パソコンやビデオカメラ等の映像信号出力機器から出力された映像信号を組み立てて得られた画像データを一時的に記憶する画像データ記憶手段と、前記光源から入射される光と前記画像データ記憶手段に記憶されている画像データとに基いて、画像を生成するＤＭＤ（デジタル・マイクロミラー・デバイス）と、前記ＤＭＤにより生成された画像を投影する投影レンズとを備えた画像表示プロジェクタにおいて、前記投影レンズにより投影された画像と同じ画像をプリンタにより印刷するように指示するための印刷指示手段と、前記印刷指示手段を用いてユーザにより画像を印刷するように指示されたときに、前記画像データ記憶手段に記憶された画像データの中から、ユーザにより印刷するように指示された画像に対応する画像データを読み込んで送出する画像データ送出手段と、前記画像データ送出手段により送出された画像データを、前記プリンタに出力可能な形式に変換して、該プリンタに出力する画像変換出力手段とを備えたものである。
【０００８】
請求項３の発明は、請求項２に記載の画像表示プロジェクタにおいて、前記画像データ送出手段は、前記投影レンズにより投影される画像が動画像であるときに、前記印刷指示手段を用いてユーザにより画像を印刷するように指示されると、前記画像データ記憶手段に記憶された画像データの中から、前記印刷指示手段を用いた指示を受け付ける所定時間前に画像データ記憶手段に記憶された画像データ、又は前記印刷指示手段を用いた指示を受け付けた瞬間に画像データ記憶手段に記憶されている画像データよりも所定コマ数分だけ前の画像データを、読み込んで送出するようにしたものである。
【発明の効果】
【０００９】
請求項１の発明によれば、ＵＳＢ端子にプリンタが接続された後に、ユーザが印刷指示手段を用いて画像を印刷するように指示すると、画像データ記憶手段に記憶された画像データの中から、ユーザにより印刷するように指示された画像に対応する画像データが読み込まれて、画像処理ＩＣに送出される。画像処理ＩＣは、この画像データをＵＳＢ端子から出力可能な形式に変換した後に、ＵＳＢ端子を介してプリンタに出力する。これにより、画像の投影時に、ユーザが印刷指示手段を用いて画像を印刷するように指示するだけで、撮影画像と同じ画像を簡単に印刷することができる。しかも、画像データ記憶手段に記憶された、投影画像の元になる画像データと同じ画像データを用いて印刷を行うことができるので、従来のように、カメラで撮影した画像を印刷する場合と比べて、画質の良い印刷画像を得ることができる。
【００１０】
また、投影レンズにより投影される画像が動画像であるときに、印刷指示手段を用いてユーザにより画像を印刷するように指示されると、画像データ記憶手段に記憶された画像データの中から、印刷指示手段を用いた指示を受け付ける所定時間前に画像データ記憶手段に記憶された画像データ、又は印刷指示手段を用いた指示を受け付けた瞬間に画像データ記憶手段に記憶されている画像データよりも所定コマ数分だけ前の画像データを、読み込んで画像処理ＩＣに送出するようにした。ここで、投影レンズにより投影される画像が動画像である場合には、ユーザが投影画像の中から所望の画像を見つけた瞬間と、画像表示プロジェクタが印刷指示手段を用いた指示を受け付ける瞬間とは、多少ずれるので、上記のように、印刷指示手段を用いた指示を受け付ける所定時間前に画像データ記憶手段に記憶された画像データ、又は印刷指示手段を用いた指示を受け付けた瞬間に画像データ記憶手段に記憶されている画像データよりも所定コマ数分だけ前の画像データをプリンタで印刷することにより、真にユーザが所望した投影画像を印刷することができる可能性を高めることができる。
【００１１】
請求項２の発明によれば、ユーザが印刷指示手段を用いて画像を印刷するように指示すると、画像データ記憶手段に記憶された画像データの中から、ユーザにより印刷するように指示された画像に対応する画像データが読み込まれて、画像変換出力手段に送出される。画像変換出力手段は、この画像データをプリンタに出力可能な形式に変換した後に、プリンタに出力する。これにより、画像の投影時に、ユーザが印刷指示手段を用いて画像を印刷するように指示するだけで、撮影画像と同じ画像を簡単に印刷することができる。しかも、画像データ記憶手段に記憶された、投影画像の元になる画像データと同じ画像データを用いて印刷を行うことができるので、従来のように、カメラで撮影した画像を印刷する場合と比べて、画質の良い印刷画像を得ることができる。
【００１２】
請求項３の発明によれば、投影レンズにより投影される画像が動画像であるときに、印刷指示手段を用いてユーザにより画像を印刷するように指示されると、画像データ記憶手段に記憶された画像データの中から、印刷指示手段を用いた指示を受け付ける所定時間前に画像データ記憶手段に記憶された画像データ、又は印刷指示手段を用いた指示を受け付けた瞬間に画像データ記憶手段に記憶されている画像データよりも所定コマ数分だけ前の画像データを、読み込んで送出するようにした。ここで、投影レンズにより投影される画像が動画像である場合には、ユーザが投影画像の中から所望の画像を見つけた瞬間と、画像表示プロジェクタが印刷指示手段を用いた指示を受け付ける瞬間とは、多少ずれるので、上記のように、印刷指示手段を用いた指示を受け付ける所定時間前に画像データ記憶手段に記憶された画像データ、又は印刷指示手段を用いた指示を受け付けた瞬間に画像データ記憶手段に記憶されている画像データよりも所定コマ数分だけ前の画像データをプリンタで印刷することにより、真にユーザが所望した投影画像を印刷することができる可能性を高めることができる。
【発明を実施するための最良の形態】
【００１３】
本発明を実施するための最良の形態について図面を参照して説明する。なお、以下に記載した実施形態は、本発明を網羅するものではなく、本発明は、下記の形態だけに限定されない。
【００１４】
図１は、本実施形態による画像表示プロジェクタと、この画像表示プロジェクタに接続されるプリンタの外観を示す。画像表示プロジェクタ１（以下、プロジェクタと略す）は、パソコンやビデオカメラ等から入力される画像データを基に画像を生成し、その画像をスクリーン等に投影表示する装置である。プロジェクタ１とプリンタ１１とは、ＵＳＢ（Universal Serial Bus）ケーブル２０を介して接続されている。プロジェクタ１は、装置本体１０の前面に、画像を投影するための投影レンズ７と、装置本体１０内部のランプ冷却後の熱風を装置本体１０の外部に排出するための排気口８とを有している。投影レンズ７と排気口８とは、装置本体１０の前面に横方向に並べて配設されている。プロジェクタ１の外装ケースは、外装ケース蓋部２と外装ケース下部３とから構成されており、上記の排気口８は、外装ケース下部３に設けられている。
【００１５】
上記プロジェクタ１の操作用のリモコン２０は、各種のキーからなるキー部２４と赤外線信号発信部２１とを有している。キー部２４には、電源キー２３、数字入力用のキー２５、カーソルキー２６、確定キー２７に加えて、初期設定メニュー等の各種メニューを表示するためのメニューキー２２が配設されている。これらのキーは、各種メニュー画面を用いた選択操作等に用いられる。また、リモコン２０は、投影レンズ７により投影された画像と同じ画像をプリンタに１１より印刷するように指示するためのプリントキー２８（印刷指示手段）を有している。
【００１６】
プリンタ１１は、装置本体１４と、用紙Ｐを載置するための給紙トレイ１２と、印字済みの用紙を積載するための排出トレイ１３とから構成されている。装置本体１４の上面には、各種のメッセージ等を表示するための液晶表示部１６と、各種の操作を行うための操作パネル１７とが配されている。また、装置本体１４の内部には、プリンタ１１全体の制御用の制御回路１５が配設されている。
【００１７】
図２は、上記プロジェクタ１の電気的ブロック構成を示す。プロジェクタ１は、装置全体の制御を行うマイコン３０と、アナログ信号の形式の画像データをディジタル信号の形式の画像データに変換するＡＤコンバータ３１と、Ｓビデオ（Separate Video）端子５５又はコンポジットビデオ端子５６から入力されるアナログ信号の形式の動画像データをディジタル信号の形式の動画像データに変換するビデオデコーダ３２と、主にＤＭＤ（デジタル・マイクロミラー・デバイス）３６の制御を行うＤＭＤコントローラチップ３３とを備えている。ＡＤコンバータ３１は、ＶＧＡ（Video Graphics Array）端子５２及びコンポーネント端子５３より入力されるアナログ信号の形式の画像データを２４ビットで表されるディジタル信号の形式の画像データに変換すると共に、ＤＶＩ（Digital Visual Interface）端子より入力される画像データがアナログ信号の形式の画像データである場合に限り、上記のアナログ信号の形式の画像データからディジタル信号の形式の画像データへの変換を行う。また、プロジェクタ１は、ＤＭＤ内のマイクロミラー駆動用の信号の波形を生成するためのミラー駆動用波形ジェネレータ３４と、パソコンやビデオカメラ等の映像信号出力機器からＡＤコンバータ３１又はビデオデコーダ３２を介して入力された映像信号を組み立てて得られた画像データを一時的に記憶するためのＤＲＡＭ（Dynamic Random Access Memory）３５（画像データ記憶手段）と、ＤＭＤコントローラチップ３３から転送された画像データとランプ３８から入射される光に基いて画像を生成するＤＭＤ３６とを備えている。ＤＭＤコントローラチップ３３は、ＤＭＤ３６により生成される画像の元になる画像データをＤＲＡＭ３５から読み取って、ＤＤＲ（Double Data Rate）方式でＤＭＤ３６に転送する。
【００１８】
また、上記のプロジェクタ１は、マイコン３０により使用されるプログラム等のデータを記憶するメモリ３７と、上記のＤＭＤコントローラチップ３３の制御用のプログラムであるＡＲＭソフトウェア５１を記憶するフラッシュメモリ５０とを有している。上記のメモリ３７には、プリンタ１１用のドライバ４４と、後述する画像印刷処理の実行手順を記述した画像印刷用プログラム４５とが格納されている。上記のプリンタ１１用のドライバ４４については、ユーザが使用するプリンタに合わせてインストールすることが望ましいが、プロジェクタ１の初期出荷時に、メモリ３７内に典型的なプリンタ・ドライバをインストールしておいてもよい。上記の画像印刷用プログラム４５及びマイコン３０が、請求項におけるプリンタ検出手段及び画像データ送出手段に相当する。
【００１９】
さらにまた、上記のプロジェクタ１は、光源となるランプ３８と、色分解用のカラーホイール３９と、カラーホイール３９を回転させるためのモータドライバ４０と、カラーホイール３９の回転をフィードバック制御するための位置決め用センサ４１と、カラーホイール３９を通った光の照度を均一化するためのロッドインテグレータ４２と、ロッドインテグレータ４２から出射された光をＤＭＤ３６に導くための反射光学系４３とを有している。また、プロジェクタ１は、リモコン２０からの印刷指示等の指示信号を受信するための赤外線信号受信部４６と、画像処理ＩＣ４７と、プリンタ１１等の外部機器との接続用のＵＳＢ端子４８とを有している。
【００２０】
上記の画像処理ＩＣ４７は、マイコン３０がＤＲＡＭ３５から読み取って送出した画像データを受信して、この画像データを、ＵＳＢ端子４８から出力可能な形式に変換してプリンタ１１に出力する。投影レンズ７により投影されている画像が動画像であるときには、マイコン３０は、画像処理ＩＣ４７に画像データを送出する際に、リモコン２０のプリントキー２８を用いてユーザにより画像を印刷するように指示されると、ＤＲＡＭ３５に記憶された画像データの中から、初期設定の内容に応じた画像データを読み込んで画像処理ＩＣ４７に送出する。具体的には、ユーザが、マイコン３０が印刷指示信号を受け付ける所定時間前（例えば、０．５秒前）にＤＲＡＭ３５に記憶された画像データを、ＤＲＡＭ３５から読み込むように初期設定した場合には、マイコン３０は、印刷指示信号を受け付ける所定時間前にＤＲＡＭ３５に記憶された（フレーム画像の）画像データを、ＤＲＡＭ３５から読み込んで画像処理ＩＣ４７に送出する。また、ユーザが、マイコン３０が印刷指示信号を受け付けた瞬間にＤＲＡＭ３５に記憶されている（記憶中の）画像データよりも所定コマ数分だけ前（例えば、１５コマ前）の画像データを、ＤＲＡＭ３５から読み込むように初期設定した場合には、マイコン３０は、印刷指示信号を受け付けた瞬間にＤＲＡＭ３５に記憶されている画像データよりも所定コマ数分だけ前の（フレーム画像の）画像データを、ＤＲＡＭ３５から読み込んで画像処理ＩＣ４７に送出する。
【００２１】
次に、図３を参照して、プロジェクタ１のマイコン３０により行われる画像印刷処理（上記の画像印刷用プログラム４５に記述された処理）について説明する。プロジェクタ１のマイコン３０は、新たな外部機器が接続されたことを検知すると（Ｓ１でＹＥＳ）、この外部機器からＵＳＢ端子４８を介して入力されたデバイス情報に基いて、この外部機器の種類を判別する（Ｓ２）。この判別の結果、接続された外部機器がプリンタ１１である場合には（Ｓ３でＹＥＳ）、マイコン３０は、プリンタ１１が接続されたことを認識（検出）する（Ｓ４）。そして、この検出が完了すると、マイコン３０は、ユーザによるリモコン２０のプリントキー２８を用いた投影画像の印刷指示を受け付ける。具体的には、マイコン３０は、上記の検出が終了した後に、赤外線信号受信部４６を介してリモコン２０から印刷指示信号を受信すると（Ｓ５でＹＥＳ）、ＤＲＡＭ３５から上記の初期設定の内容に応じたフレーム画像の画像データを読み込んで（Ｓ６）、このフレーム画像の画像データを画像処理ＩＣ４７に送信する（Ｓ７）。画像処理ＩＣ４７は、マイコン３０から受信した画像データを、ＵＳＢ端子４８から出力可能な形式に変換してプリンタ１１に出力する。これにより、プリンタ１１は、ユーザ所望の投影画像と同じ画像を印刷する。
【００２２】
上述したように、本実施形態によるプロジェクタ１によれば、ＵＳＢ端子４８にプリンタ１１が接続された後に、ユーザがプリントキー２８を用いて画像を印刷するように指示すると、ＤＲＡＭ３５に記憶された画像データの中から、ユーザにより印刷するように指示された画像に対応する画像データが読み込まれて、画像処理ＩＣ４７に送出される。画像処理ＩＣ４７は、この画像データをＵＳＢ端子４８から出力可能な形式に変換した後に、ＵＳＢ端子４８を介してプリンタ１１に出力する。これにより、画像の投影時に、ユーザがリモコン２０のプリントキー２８を用いて画像を印刷するように指示するだけで、撮影画像と同じ画像を簡単に印刷することができる。しかも、ＤＲＡＭ３５に記憶された、投影画像の元になる画像データと同じ画像データを用いて印刷を行うことができるので、従来のように、カメラで撮影した画像を印刷する場合と比べて、画質の良い印刷画像を得ることができる。
【００２３】
また、投影レンズ７により投影される画像が動画像であるときに、プリントキー２８を用いてユーザにより画像を印刷するように指示されると、ＤＲＡＭ３５に記憶された画像データの中から、プリントキー２８を用いた指示を受け付ける所定時間前にＤＲＡＭ３５に記憶された（フレーム画像の）画像データ、又はプリントキー２８を用いた指示を受け付けた瞬間にＤＲＡＭ３５に記憶されている画像データよりも所定コマ数分だけ前の（フレーム画像の）画像データを、読み込んで画像処理ＩＣ４７に送出するようにした。ここで、投影レンズ７により投影される画像が動画像である場合には、ユーザが投影画像の中から所望の画像を見つけた瞬間と、プロジェクタ１がプリントキー２８を用いた指示を受け付ける瞬間とは、多少ずれるので、上記のように、プリントキー２８を用いた指示を受け付ける所定時間前にＤＲＡＭ３５に記憶された画像データ、又はプリントキー２８を用いた指示を受け付けた瞬間にＤＲＡＭ３５に記憶されている画像データよりも所定コマ数分だけ前の画像データをプリンタ１１で印刷することにより、真にユーザが所望した投影画像を印刷することができる可能性を高めることができる。
【００２４】
なお、本発明は、上記実施形態に限られるものではなく、様々な変形が可能である。例えば、上記の実施形態では、プリンタ１１との接続用の端子にＵＳＢ端子を用いた場合の例を示したが、プリンタとの接続用の端子は、これに限られず、例えば、Ｄ−Ｓｕｂコネクタを用いてもよい。また、プロジェクタからプリンタへの印刷データの送信を無線により行ってもよい。さらにまた、上記の実施形態では、画像の印刷指示にリモコン２０のプリントキー２８を用いた場合の例を示したが、画像の印刷指示にプロジェクタ本体に配設されたキーを用いてもよいし、プロジェクタ本体に接続されたキーパッドを用いてもよい。
【図面の簡単な説明】
【００２５】
【図１】本発明の一実施形態による画像表示プロジェクタと、このプロジェクタに接続されるプリンタの外観を示す斜視図。
【図２】上記画像表示プロジェクタの電気的ブロック構成図。
【図３】上記画像表示プロジェクタの画像印刷処理を示すフローチャート。
【符号の説明】
【００２６】
１    プロジェクタ
７    投影レンズ
２８  プリントキー（印刷指示手段）
３０  マイコン（プリンタ検出手段、画像データ送出手段）
３５  ＤＲＡＭ（画像データ記憶手段）
３６  ＤＭＤ
３８  ランプ（光源）
４５  画像印刷用プログラム（プリンタ検出手段、画像データ送出手段）
４７  画像処理ＩＣ
４８  ＵＳＢ端子
【図１】
2006243672.tif 000003
【図２】
2006243672.tif 000004
【図３】
2006243672.tif 000005